(57)【特許請求の範囲】
【請求項１】
床よりも上方で水平方向に沿って配置される天板部材と、
前記天板部材の下方に配置されて前記天板部材を支持する脚部材と、
前記床に固定される床下地材と、
壁に固定される第２壁下地材と、を備え、
前記脚部材は、前記床に対向する下面に形成される下面開口部を有し、
前記下面開口部には、前記床下地材が差し込まれ、
前記天板部材は、前記壁に対向する側面に形成される天板側面開口部を有し、
前記天板側面開口部には、前記第２壁下地材が差し込まれる家具。
【請求項２】
壁に固定される第１壁下地材をさらに備え、
前記脚部材は、前記壁に対向する側面に形成される脚側面開口部を有し、
前記脚側面開口部には、前記第１壁下地材が差し込まれる請求項１に記載の家具。
【請求項３】
前記天板部材は、該天板部材の下面に垂直方向下方に突出して形成される突起部を有し、
前記脚部材は、前記天板部材に対向する上面に形成される上面開口部を有し、
前記上面開口部には、前記突起部が差し込まれる請求項２に記載の家具。
【請求項４】
前記脚部材は、前記下面開口部及び前記上面開口部のうち少なくとも一方に連通して形成される中空部を有する請求項３に記載の家具。
【請求項５】
前記壁下地材の幅は、前記床下地材の幅よりも狭い請求項２から４いずれかに記載の家具。
【請求項６】
床に床下地材を固定する第１固定工程と、
壁に第１壁下地材および第２壁下地材を固定する第２固定工程と、
前記床に対向する下面に形成される下面開口部と、前記壁に対向する側面に形成される脚側面開口部と、上面に形成される上面開口部と、を有する脚部材を、前記床下地材及び前記第１壁下地材の上方から下方に移動させて、前記脚側面開口部に前記第１壁下地材を差し込ませるとともに、前記下面開口部に前記床下地材を差し込ませる第１組立工程と、
下面に垂直方向下方に突出して形成される突起部と、前記壁側に形成される天板側面開口部を有する天板部材を、前記脚部材の上方から下方に移動させて、前記突起部を前記上面開口部に差し込むとともに前記脚部材の上に載置する第２組立工程と、
前記天板部材を、前記突起部が前記上面開口部に差し込まれたまま前記壁側に移動させて、前記天板側面開口部に前記第２壁下地材を差し込ませる第３組立工程と、を含む家具の施工方法。
【請求項７】
前記第１組立工程の前に、前記脚部材を切断して高さ調整する調整工程をさらに含む請求項６に記載の家具の施工方法。
【発明の詳細な説明】
【技術分野】
【０００１】
本発明は、家具及びその施工方法に関する。
【背景技術】
【０００２】
従来、天板部材を支持するための棒状の脚部材が天板部材の下面に配置されたカウンター等の家具が知られている。このような家具は、脚部材が床に固定されないため、特に横からの衝撃に弱いという強度面での課題を有する。また、天板部材と脚部材の形状や外観の相違による意匠面での課題も有する。
【０００３】
これに対して、床面に固定する床面固定板と、これに接続固定するとともに家具類の下面四隅に配設された脚部取り付け金具に接続固定する脚部兼用接続金具とからなる下面固定金具を具備し、これを介して家具類の下面を床面に定着せしめるようにした家具が提案されている（例えば、特許文献１参照）。
【先行技術文献】
【特許文献】
【０００４】
【特許文献１】特開平１０−３２７９６１号公報
【発明の概要】
【発明が解決しようとする課題】
【０００５】
しかしながら、特許文献１に開示された家具は、四隅が床面に固定されているものの、点での固定であるため、十分な強度を有しているとは言えなかった。また、金具が外部に露出しているため、意匠性の向上も求められていた。
【０００６】
本発明は上記に鑑みてなされたものであり、その目的は、床や壁に固定された下地部材が差し込まれる開口部を脚部材に形成することで、強度及び意匠性が向上した家具を提供することにある。
【課題を解決するための手段】
【０００７】
上記目的を達成するため本発明は、床（例えば、後述の床Ｆ）よりも上方で水平方向に沿って配置される天板部材（例えば、後述の天板部材１０）と、前記天板部材の下方に配置されて前記天板部材を支持する脚部材（例えば、後述の脚部材２０）と、前記床に固定される床下地材（例えば、後述の床下地材３０）と、を備え、前記脚部材は、前記床に対向する下面（例えば、後述の下面２０１）に形成される下面開口部（例えば、後述の下面開口部２１）を有し、前記下面開口部には、前記床下地材が差し込まれる家具（例えば、後述のカウンター１）を提供する。
【０００８】
また、本発明の家具は、壁（例えば、後述の壁Ｗ１）に固定される壁下地材（例えば、後述の第１壁下地材４０）を備え、前記脚部材は、前記壁に対向する側面（例えば、後述する側面２０２）に形成される側面開口部（例えば、後述の側面開口部２２）を有し、前記側面開口部には、前記壁下地材が差し込まれることが好ましい。
【０００９】
また、前記天板部材は、該天板部材の下面（例えば、後述する裏面１０２）に垂直方向下方に突出して形成される突起部（例えば、後述のガイド部材１８）を有し、前記脚部材は、前記天板部材に対向する上面（例えば、後述する上面２０３）に形成される上面開口部（例えば、後述の上面開口部２３）を有し、前記上面開口部には、前記突起部が差し込まれることが好ましい。
【００１０】
前記脚部材は、前記下面開口部及び前記上面開口部のうち少なくとも一方に連通して形成される中空部（例えば、後述の中空部２８１、２８３）を有することが好ましい。
【００１１】
また、前記壁下地材の幅（例えば、後述のＬ１）は、前記床下地材の幅（例えば、後述のＬ２）よりも狭いことが好ましい。
【００１２】
また、本発明は、床に床下地材を固定する第１固定工程（例えば、後述の第１固定工程）と、壁に壁下地材を固定する第２固定工程（例えば、後述の第２固定工程）と、前記床に対向する下面に形成される下面開口部と、前記壁に対向する側面に形成される側面開口部と、上面に形成される上面開口部と、を有する脚部材を、前記床下地材及び前記壁下地材の上方から下方に移動させて、前記側面開口部に前記壁下地材を差し込ませるとともに、前記下面開口部に前記床下地材を差し込ませる第１組立工程（例えば、後述の第１組立工程）と、下面に垂直方向下方に突出して形成される突起部を有する天板部材を、前記脚部材の上方から下方向に移動させて、前記突起部を前記上面開口部に差し込むとともに前記脚部材の上に載置する第２組立工程（例えば、後述の第２組立工程）と、を含む家具の施工方法を提供する。
【００１３】
また、本発明の家具の施工方法は、前記第１組立工程の前に、前記脚部材を切断して高さ調整する調整工程（例えば、後述の調整工程）をさらに含むことが好ましい。
【発明の効果】
【００１４】
本発明によれば、床や壁に固定された下地部材が差し込まれる開口部を脚部材に形成することで、強度及び意匠性が向上した家具を提供できる。
【図面の簡単な説明】
【００１５】
【図１】本発明の一実施形態に係るカウンターの全体構成を説明する斜視図である。
【図２】上記実施形態に係るカウンターの構成を説明する展開図である。
【図３】上記実施形態に係るカウンターの施工方法を説明する図であり、第１組立工程までを説明する図である。
【図４】上記実施形態に係るカウンターの施工方法を説明する図であり、第１組立工程を説明する図である。
【図５】上記実施形態に係るカウンターの施工方法を説明する図であり、第２組立工程までを説明する図である。
【図６】上記実施形態に係るカウンターの施工方法を説明する図であり、第２組立工程を説明する図である。
【図７】上記実施形態の変形例に係るカウンターを説明する図である。
【発明を実施するための形態】
【００１６】
以下、本発明の一実施形態について、図面を参照して詳細に説明する。
まず、図１及び図２により、本発明の一実施形態に係るカウンター１の全体構成について説明する。図１は、本発明の一実施形態に係るカウンター１の全体構成を説明する斜視図である。図２は、本実施形態に係るカウンター１の構成を説明する展開図である。
【００１７】
図１及び図２に示すように、カウンター１は、天板部材１０と、脚部材２０と、床下地材３０と、第１壁下地材４０と、第２壁下地材５０と、受け部材６０と、蓋部材７０と、を備える。
本実施形態のカウンター１は、脚部材２０の表面材と天板部材１０の表面材とが同一部材からなり、外観上の統一感がとれて意匠性に優れている。また、本実施形態のカウンター１は、床下地材３０、第１壁下地材４０が差し込まれる後述の下面開口部２１及び側面開口部２２を脚部材２０に形成したことで、特に横からの衝撃に強く、高い強度を有する。またこれにより、各下地材が脚部材２０内に収容されて外観上視認されないため、より意匠性が向上しているとともに、現場での施工性に優れたカウンターである。
【００１８】
図１及び図２に示すように、天板部材１０は、床Ｆよりも上方、即ち床Ｆから所定距離だけ上方において、水平方向に沿って配置される。天板部材１０は、長手方向における一端側が脚部材２０により支持され、長手方向における他端側が受け部材６０により支持される。また、天板部材１０は、短手方向における一端（図１及び図２において奥）側が第２壁下地材５０により保持される。
【００１９】
天板部材１０は、天板側開口部１１と、該天板部材１０の外形を形成する表面材１２と、内部に配置される支持部材１３、１４と、裏面１０２側に取り付けられる突起部としてのガイド部材１８と、支持部材１４に形成される凹部１４１と、天板部材１０の内部に充填される紙部材等からなる芯材１５と、を有する。
【００２０】
天板側開口部１１は、天板部材１０における側面１０３側に形成され、長手方向に延びる凹状の部分である。天板側開口部１１は、第２壁下地材５０が差し込まれる部分である。天板側開口部１１に第２壁下地材５０が差し込まれることで、天板部材１０の短手方向における一端側が位置決め保持される。天板側開口部１１と第２壁下地材５０とは、例えば、接着剤により互いに固定される。
【００２１】
表面材１２は、折り曲げられて天板部材１０の外形を形成し、天板部材１０の表面１０１、側面１０４及び裏面１０２を構成する。天板部材１０の側面１０５側には後述する脚部材２０が取り付けられ、側面１０６側（壁Ｗ２側）には後述する受け部材６０が取り付けられる。表面材１２の内側には、支持部材１３、１４が配置されるとともに、芯材１５が配置される。支持部材１３及び支持部材１４は、表面材１２に挟まれるようにして天板部材１０の内側に配置される。表面材１２は、中央部分において支持部材１４を中心として折り曲げられている。また、支持部材１４は、表面材１２に３面を囲まれるように配置される。また、支持部材１３は、表面材１２における外縁側であって所定距離だけ外縁よりも中央側（支持部材１４側）に配置される。上述の天板側開口部１１は、この表面材１２の外縁部分と支持部材１３とにより構成される。
【００２２】
ここで、天板部材１０は、上述した構造を有することから、その長手方向において断面形状が変化しないため、長手方向の任意の位置で切断可能となっている。つまり、本実施形態の天板部材１０は、施工現場に応じて、その長手方向の任意の位置で切断することにより、その長手方向の長さの調整が可能となっている。
【００２３】
ガイド部材１８は、天板部材１０の裏面１０２側に取り付けられる。ガイド部材１８は、天板部材１０における裏面１０２（下面）に垂直方向下方に突出して形成される。ガイド部材１８は、脚部材２０に形成される後述する上面開口部２３に差し込まれる部分である。具体的には、ガイド部材１８は、脚部材２０における上面開口部２３に差し込まれることで、施工時における天板部材１０の移動をガイドする部分である。
【００２４】
凹部１４１は、支持部材１４に形成される。凹部１４１は、天板部材１０における側面１０５側に露出して形成される。凹部１４１は、蓋部材７０を天板部材１０の側面１０５に取り付ける際に使用されるダボ部材７２が嵌合される部分である。凹部１４１は、天板部材１０の長手方向に延びるように形成されている。そのため、天板部材１０における側面１０５側の外縁を切断した場合でも、凹部１４１は外部に露出した状態となる。これにより、天板部材１０は、長手方向の外縁を切断しても蓋部材７０を取り付けることができるようになっている。
【００２５】
脚部材２０は、天板部材１０の下方に配置されて天板部材１０を支持する。脚部材２０は、天板部材１０の長手方向における一端側（側面１０５側）を支持する。
脚部材２０は、下面開口部２１と、側面開口部２２と、上面開口部２３と、該脚部材２０の外形を形成する表面材２４と、内部に配置される支持部材２５、２６、２７、２７と、を有する。脚部材２０は、フラッシュ構造を有して構成される。
【００２６】
下面開口部２１は、床Ｆに対向する下面２０１に形成される。下面開口部２１は、脚部材２０の短手方向（水平方向）に延びる凹状の部分である。下面開口部２１は、床下地材３０が差し込まれる部分である。下面開口部２１に床下地材３０が差し込まれることで、脚部材２０は高い強度で位置決め保持される。脚部材２０は、特に横方向（天板部材１０の長手方向）のブレ等が抑制された状態で保持される。床下地材３０と下面開口部２１とは、例えば、接着剤により互いに固定される。
【００２７】
側面開口部２２は、壁Ｗ１に対向する側面２０２に形成される。側面開口部２２は、脚部材２０の上面から下面に亘って形成され、脚部材２０の長手方向（鉛直方向）に延びる凹状の部分である。側面開口部２２は、第１壁下地材４０が差し込まれる部分である。側面開口部２２に第１壁下地材４０が差し込まれることで、脚部材２０は高い強度で位置決め保持される。脚部材２０は、特に横方向（天板部材１０の長手方向）のブレ等が抑制された状態で保持される。第１壁下地材４０と側面開口部２２とは、例えば、接着剤により互いに固定される。
【００２８】
上述の通り、脚部材２０は、床Ｆに固定された床下地材３０が差し込まれる下面開口部２１と、壁Ｗ１に固定された第１壁下地材４０が差し込まれる側面開口部２２と、を有するので、高い強度で位置決め保持される。脚部材２０は、特に横方向（天板部材１０の長手方向）のブレ等が抑制された状態で保持される。
【００２９】
上面開口部２３は、天板部材１０の裏面１０２に対向する上面２０３に形成される。上面開口部２３は、脚部材２０の短手方向（水平方向）に延びる凹状の部分である。上面開口部２３は、ガイド部材１８が差し込まれる部分である。上面開口部２３は、差し込まれたガイド部材１８の移動を脚部材２０の短手方向に限定する。施工時において、上面開口部２３は、差し込まれたガイド部材１８を介して天板部材１０の移動をガイドする。
【００３０】
表面材２４は、折り曲げられて脚部材２０の外形を形成し、脚部材２０の側面２０４、２０５、２０６を構成する。表面材２４の内側には、鉛直方向に延びるように支持部材２５、２６が配置される。支持部材２５及び支持部材２６は、表面材２４に挟まれるようにして脚部材２０の内側に配置される。表面材２４は、中央部分において支持部材２６を中心として折り曲げられている。また、支持部材２６は、表面材２４に３面を囲まれるように配置される。また、支持部材２５は、表面材２４における外縁側であって所定距離だけ外縁よりも中央側（支持部材２６側）に配置される。
【００３１】
また、表面材２４の内側には、水平方向に延びるように支持部材２７、２７が配置される。支持部材２７、２７は、支持部材２５及び支持部材２６を橋渡しするように配置される。これら支持部材により、表面材２４の内側には、中空部２８１、２８２、２８３が形成される。
【００３２】
下面開口部２１は、表面材２４の外縁部分と支持部材２５、２６により形成され、中空部２８１に連通する。側面開口部２２は、表面材２４の外縁部分と支持部材２５とにより構成される。上面開口部２３は、表面材２４と支持部材２５、２６とにより形成され、中空部２８３に連通する。
【００３３】
ここで、脚部材２０において、上面開口部２３及び下面開口部２１にそれぞれ連通する中空部２８１、２８３は表面材２４及び高さ方向に延びる支持部材２５、２６により形成されるため、その長手方向（高さ方向）に容易に切断することができる。つまり、本実施形態の脚部材２０は、長手方向の外縁部分を切断することで、高さを調整可能となっている。
【００３４】
表面材２４は、天板部材１０の表面材１２と同一部材である。言い換えると、表面材２４は、天板部材１０の表面材１２と同じ外観を有する部材である。これにより、カウンター１は、統一感のある意匠性を有し、意匠性に優れた家具である。
【００３５】
床下地材３０は、床Ｆに固定される。床下地材３０は、不図示の固定部材（例えば、棒状の金属部材）により、床Ｆに固定される。床下地材３０は、例えば、ＬＶＬにより構成される。
床下地材３０は、上述の通り、脚部材２０における下面開口部２１に差し込まれる。言い換えると、床下地材３０は、脚部材２０における下面開口部２１に被嵌される。床下地材３０は、下面開口部２１に差し込まれることで、脚部材２０を高い強度で位置決め保持する。
【００３６】
第１壁下地材４０（壁下地材）は、壁Ｗ１に固定される。第１壁下地材４０は、不図示の固定部材（例えば、棒状の金属部材）により、壁Ｗ１に固定される。第１壁下地材４０は、例えば、ＬＶＬにより構成される。
第１壁下地材４０は、上述の通り、脚部材２０における側面開口部２２に差し込まれる。言い換えると、第１壁下地材４０は、脚部材２０における側面開口部２２に被嵌される。第１壁下地材４０は、側面開口部２２に差し込まれることで、脚部材２０を高い強度で位置決め保持する。
【００３７】
ここで、本実施形態の変形例として、第１壁下地材４０の幅（水平方向の長さ）は、床下地材３０の幅（水平方向の長さ）よりも狭い場合がある。図７は、本実施形態の変形例に係るカウンターを説明するための図である。図７では、本実施形態の構成に対応する構成の符号に対してＡを付加した符号を付している。
図７に示すように、本変形例では、厚みの異なる脚部材２０Ａを使用した場合であっても、第１壁下地材４０を共通化することができる。つまり、横ずれ抑制等に大きく寄与する床下地材３０Ａの幅Ｌ２は脚部材２０Ａの厚みに対応して変更し、第１壁下地材４０の幅Ｌ１は一定にする。そして、この場合、第１側面開口部２２Ａの幅（水平方向の長さ）は、下面開口部２１Ａの幅（水平方向の長さ）よりも狭くなる。
【００３８】
第２壁下地材５０は、壁Ｗ１に固定される。第２壁下地材５０は、不図示の固定部材（例えば、棒状の金属部材）により、壁Ｗ１に固定される。第２壁下地材５０は、例えば、ＬＶＬにより構成される。
第２壁下地材５０は、上述の通り、天板部材１０における天板側開口部１１に差し込まれる。言い換えると、第２壁下地材５０は、天板部材１０における天板側開口部１１に被嵌される。第２壁下地材５０は、天板側開口部１１に差し込まれることで、天板部材１０を位置決め保持する。
【００３９】
受け部材６０は、壁Ｗ１に直交する壁Ｗ２に固定される。受け部材６０は、複数の固定部材６５により壁Ｗ２に固定される。受け部材６０は、上面６１において天板部材１０を支持し、固定部材６６により天板部材１０に固定される。受け部材６０は、天板部材１０の長手方向の脚部材２０が支持する端部と反対側の端部側を支持する。
【００４０】
蓋部材７０は、天板部材１０における側面１０５を覆うように配置される部材である。蓋部材７０は、長手方向（奥行方向）における一端に配置される封止部材７１と、他端側に形成される嵌合部７３と、ダボ部材７２と、を有する。
【００４１】
封止部材７１は、長手方向（奥行方向）における一端に配置される。封止部材７１は、天板部材１０における天板側開口部１１の側面を封止する部材である。
嵌合部７３は、長手方向（奥行方向）における他端に配置される。嵌合部７３には、ダボ部材７２が嵌合して配置される。
ダボ部材７２は、嵌合部７３に嵌合するとともに、天板部材１０における凹部１４１に嵌合して配置される。ダボ部材７２は、封止部材７１とともに、蓋部材７０を天板部材１０の側面１０５に取付ける部材である。
【００４２】
続けて、図３から図６により、カウンター１の施工方法について説明する。図３は、カウンター１の施工方法を説明する図であり、第１組立工程までを説明する図である。図４は、カウンター１の施工方法を説明する図であり、第１組立工程を説明する図である。図５は、カウンター１の施工方法を説明する図であり、第２組立工程までを説明する図である。図６は、カウンター１の施工方法を説明する図であり、第２組立工程を説明する図である。
【００４３】
まず、図３に示すように、作業者は、床下地材３０を床Ｆに固定する（第１固定工程）。作業者は、例えば、金属製のネジ部材やピン部材を床下地材３０の上面から打ち込む（ねじ込む）ことで、床下地材３０を床Ｆに固定する。
また、作業者は、第１壁下地材４０を壁Ｗ１に固定する（第２固定工程）。作業者は、例えば、金属製のネジ部材やピン部材を第１壁下地材４０の側面から打ち込む（ねじ込む）ことで、第１壁下地材４０を壁Ｗ１に固定する。
【００４４】
続けて、作業者は、スペースや天板部材１０の高さに応じて、脚部材２０を切断し、高さを調整する（調整工程）。例えば、作用者は、脚部材２０の上方側を所定長さだけ切断する。
続けて、作業者は、高さを調整した脚部材２０を床下地材３０及び第１壁下地材４０の上方に移動させる。
【００４５】
続けて、作業者は、脚部材２０を床下地材３０及び第１壁下地材４０の上方から下方に移動させて、図４に示すように、側面開口部２２に第１壁下地材４０を差し込ませるともに、下面開口部２１に床下地材３０を差し込ませる（第１組立工程）。そして、作業者は、床下地材３０と下面開口部２１とを接着剤により固定する。また、作業者は、第１壁下地材４０と側面開口部２２とを接着剤により固定する。これにより、脚部材２０は、高い強度を有した状態で位置決め保持される。
【００４６】
続けて、図５に示すように、作業者は、第２壁下地材５０を壁Ｗ１に固定する。作業者は、例えば、金属製のネジ部材やピン部材を第２壁下地材５０の側面から打ち込む（ねじ込む）ことで、第２壁下地材５０を壁Ｗ１に固定する。
また、作業者は、受け部材６０を壁Ｗ２に固定する。作業者は、例えば、複数の固定部材６５（例えば、金属製のネジ部材やピン部材）を受け部材６０の側面から打ち込む（ねじ込む）ことで、受け部材６０を壁Ｗ２に固定する。
【００４７】
続けて、作業者は、ガイド部材１８を天板部材１０の裏面１０２（下面）に、取り付ける。ガイド部材１８は、天板部材１０の裏面１０２から下方に突出して配置される。そして、作業者は、ガイド部材１８が取り付けられた天板部材１０を所定の高さまで持ち上げるとともに、水平方向（矢印方向）に移動させる。
【００４８】
続けて、図６に示すように、作業者は、天板部材１０を脚部材２０の上方から下方に移動させ、突起部としてのガイド部材１８を上面開口部２３に差し込むとともに、脚部材２０の上に載置する（第２組立工程）。
【００４９】
続けて、作業者は、天板部材１０をさらに壁Ｗ１側に移動させる。これにより、ガイド部材１８が上面開口部２３に差し込まれた状態で奥行方向に移動されるので、天板部材１０は、第２壁下地材５０側にガイドされながらスライド移動する。これにより、天板側開口部１１には、第２壁下地材５０が差し込まれる。作業者は、第２壁下地材５０と天板側開口部１１とを接着剤により固定する。また、作業者は、天板部材１０を受け部材６０に取り付ける。作業者は、例えば、受け部材６０の下方から金属製のネジ部材やピン部材等の固定部材６６により、天板部材１０を受け部材６０に取り付ける。
【００５０】
続けて、作業者は、天板部材１０の側面１０５を覆うように蓋部材７０を取り付ける。作業者は、蓋部材７０における封止部材７１を天板側開口部１１の側面を封止するように配置する。また、作業者は、ダボ部材７２を蓋部材７０の嵌合部７３に嵌合するとともに、天板部材１０における凹部１４１に嵌合するよう配置する。これにより、蓋部材７０は、天板部材１０の側面１０５を覆うように配置される。
以上のようにして、カウンター１は施工される。
【００５１】
本実施形態のカウンター１によれば、以下の効果を奏する。
本実施形態によれば、床Ｆや壁Ｗ１に固定された各下地部材が差し込まれる開口部を脚部材２０に形成したことで、強度及び意匠性が向上した家具を提供できる。
また本実施形態によれば、カウンター１は、床Ｆよりも上方で水平方向に沿って配置される天板部材１０と、天板部材１０の下方に配置されて天板部材１０を支持する脚部材２０と、床Ｆに固定される床下地材３０と、を備える。そして、脚部材２０は、床Ｆに対向する下面２０１に形成される下面開口部２１を有し、下面開口部２１には、床下地材３０が差し込まれる。これにより、カウンター１は、高い強度で位置決め保持され、特に横からの衝撃に強い。また、脚部材２０は、床Ｆ側の端部において金属部材や下地部材が露出していない。また、脚部材２０は、天板部材１０と同じ厚さにすることができる。また、脚部材２０の表面材２４を天板部材１０の表面材１２と同様の部材にすることができる。これにより、カウンター１は、意匠性が向上された家具である。
【００５２】
また、本実施形態によれば、カウンター１は、壁Ｗ１に固定される第１壁下地材（壁下地材）４０を備える。そして、脚部材２０は、壁Ｗ１に対向する側面２０２に形成される側面開口部２２を有し、側面開口部２２には、第１壁下地材４０が差し込まれる。これにより、カウンター１は、より高い強度で位置決め保持され、より横からの衝撃に強い。また、脚部材２０は、壁Ｗ１側の端部において金属部材や下地部材が露出されていない。また、脚部材２０は、天板部材１０と同じ厚さにすることができる。また、脚部材２０の表面材２４を天板部材１０の表面材１２と同様の部材にすることができる。これにより、カウンター１は、より意匠性が向上された家具である。
【００５３】
また、本実施形態によれば、天板部材１０は、該天板部材１０の裏面１０２（下面）に垂直方向下方に突出して形成されるガイド部材１８（突起部）を有する。そして、脚部材２０は、天板部材１０に対向する上面２０３に形成される上面開口部２３を有し、上面開口部２３には、ガイド部材１８が差し込まれる。これにより、カウンター１は、より高い強度で位置決め保持され、より横からの衝撃に強い。また、脚部材２０は、天板部材１０側の端部において金属部材や下地部材が露出されていない。また、脚部材２０は、天板部材１０と同じ厚さにすることができる。また、脚部材２０の表面材２４を天板部材１０の表面材１２と同様の部材にすることができる。これにより、カウンター１は、より意匠性が向上された家具である。
【００５４】
また、本実施形態によれば、脚部材２０は、下面開口部２１及び上面開口部２３がそれぞれ連通する中空部２８１、２８３を有する。これにより、施工現場において、スペースや家具のタイプに応じて、脚部材２０を切断して長手方向の長さ、即ち高さを容易に調整することができる。
【００５５】
また、本実施形態によれば、第１壁下地材４０（壁下地材）の幅は、床下地材３０の幅よりも狭い。つまり、脚部材２０の幅に応じて床下地材３０及び下面開口部２１の幅を広くするとともに、第１壁下地材４０及び側面開口部２２の幅は変更しないことで、第１壁下地材４０を共通化することができる。これにより、カウンター１は、強度を保持しつつ、幅が異なる複数の脚部材２０を組み合わせ可能であるとともに、第１壁下地材４０を共通化してコスト削減が可能に構成される。
【００５６】
また、本実施形態によれば、床Ｆに床下地材３０を固定する第１固定工程と、壁Ｗ１に第１壁下地材４０を固定する第２固定工程と、床Ｆに対向する下面２０１に形成される下面開口部２１と、壁Ｗ１に対向する側面２０２に形成される側面開口部２２と、上面２０３に形成される上面開口部２３と、を有する脚部材２０を、床下地材３０及び第１壁下地材４０の上方から下方向に移動させて、側面開口部２２に第１壁下地材４０を差し込ませるともに、下面開口部２１に床下地材３０を差し込ませる第１組立工程と、裏面１０２に垂直方向下方に突出して形成されるガイド部材１８を有する天板部材１０を脚部材２０の上方から下方向に移動させ、ガイド部材１８を上面開口部２３に差し込むとともに、脚部材２０の上に載置する第２組立工程と、を含む施工方法を提供できる。これにより、高い強度で位置決め保持されたカウンター１を提供できる。これにより、横からの衝撃に強いカウンター１を提供できる。また、これにより、意匠性が向上したカウンター１を提供できる。
【００５７】
また、本実施形態によれば、第１組立工程より前の工程であって、脚部材２０を切断して高さ調整する調整工程をさらに含む施工方法を提供できる。これにより、施工現場において、スペースや家具のタイプに応じて、脚部材２０を切断して容易に高さを調整することができるカウンター１を提供できる。
【００５８】
なお、本発明は上記実施形態に限定されるものではなく、本発明の目的を達成できる範囲内での変形、改良等は本発明に含まれる。
本実施形態において、家具としてカウンター１について説明されているが、これに限定されず、家具は、例えば、机、棚やベンチ等であってもよい。ここで、本実施形態においては、脚部材２０や天板部材１０を切断してサイズを調整できるので、同じ部材を用いて、カウンター、机、ベンチや棚を組み立てることができる。
【００５９】
また、本実施形態においては、各下地材としてＬＶＬを用いているが、これに限定されず、角材等を用いてもよい。また、各表面材は、天然木であってもよく、紙部材であってもよい。
【００６０】
また、本実施形態においては、脚部材２０が天板部材１０の一端側（側面１０５側）にのみ配置されているが、これに限定されない。例えば、壁Ｗ２が無い場合には、天板部材１０の他端側（側面１０６側）にも、受け部材６０の代わりに脚部材２０を取り付けてもよい。
【符号の説明】
【００６１】
１…カウンター（家具）
１０…天板部材
１８…ガイド部材（突起部）
２０…脚部材
２１…下面開口部
２２…側面開口部
２３…上面開口部
３０…床下地材
４０…第１壁下地材（壁下地材）
５０…第２壁下地材
６０…受け部材
２８１、２８３…中空部
Ｆ…床
Ｗ１、Ｗ２…壁
【図１】
0006649058.tif 000002
【図２】
0006649058.tif 000003
【図３】
0006649058.tif 000004
【図４】
0006649058.tif 000005
【図５】
0006649058.tif 000006
【図６】
0006649058.tif 000007
【図７】
0006649058.tif 000008